(57)【要約】  【課題】冷蔵庫等の庫内温度を制御するサーモスタットにおいて、ケースの割れ、欠け等を発生させることなく、容易にケースと器枠の組立てが実現できるサーモスタットを提供する。  【解決手段】器枠１の側面１ａに切欠き部２を設け、欠切き部２の一部に舌状部３を設け、ケース５の側面５ａには切欠き部２に当接する段付部７を設け、段付部７に舌状部３が貫通し、かつ舌状部３を収納する外壁部８を有する角状穴９を設けた構成とすることにより、ケース５は、器枠１の開口部より切欠き部２と段付部７に沿って容易に挿入が可能となり、また角状穴９に舌状部３が挿入された後に、舌状部３に曲げを加え、ケース５に固定させることにより、容易かつ確実にケース５の割れ、欠け等を発生させることなくケース５を器枠１に取付けることができる。【選択図】図１
2009230866.tif 000002
【特許請求の範囲】
【請求項１】
上面および対向する二つの側面からなる略コの字状器枠と、この器枠の上面と対向する開口部より嵌め込まれ、前記器枠の側面間に取付けられるスイッチ部を収納したケースと、前記器枠の上面と対向する開口部以外の二つの開口部のうちどちらかに取付けられる温度感知部を具備したサーモスタットにおいて、前記器枠の二つの側面の開口部側先端に、前記器枠の上面に近づいた部分を形成する略矩形状の切欠き部を設け、また、前記各側面に設けた欠切き部の一部に、前記器枠の上面から離れる方向に延出する舌状部を設け、さらに、前記ケースの二つの側面部に、前記器枠に設けた切欠き部と当接する段付部を設け、前記段付部に、前記切欠き部に設けた前記舌状部が貫通する角状穴を設け、さらに前記角状穴より突出した舌状部の先端に、前記角状穴の周縁と係止する曲げ部を設けたサーモスタット。
【請求項２】
前記器枠の二つの側面に穴部を設け、さらに、前記ケースの二つの側面に、前記器枠の穴部に嵌合する突起部を設け、該突起部における前記側面と接触する面を、前記段付部側が高くなるように傾斜する斜面部とした請求項１に記載のサーモスタット。
【発明の詳細な説明】
【技術分野】
【０００１】
本発明は、冷蔵庫、ショーケース等の庫内の温度を制御するサーモスタットに関するものである。
【背景技術】
【０００２】
従来から、冷蔵庫、ショーケース等の庫内温度制御用に適した構成を有するサーモスタットが知られている（例えば、特許文献１参照）。
【０００３】
以下、図面を参照しながら上記従来のサーモスタットについて説明する。
【０００４】
図７は従来のサーモスタット本体の側面図である。
【０００５】
図７に示すように、サーモスタットは、コの字状に形成された金属製器枠１０２の一つの開口部に、制御部（測定箇所）の温度を感知して圧力変化を起こすセンシング部１０１が取付けられ、他の一つの開口部にスイッチ（図示せず）を収納した樹脂製ケース１０３が取付けられている。前記器枠１０２の対面する二つの側面１０２ａにはそれぞれ角状の穴１０２ｂが設けられている。
【０００６】
またケース１０３には、器枠１０２の二つの角状穴１０２ｂに嵌り合う凸部１０３ａが形成されており、凸部１０３ａの一部は、三角形状に切り込まれている。そして、器枠１０２には、温度設定を変更するダイヤル１０４が突出して設けられている。
【０００７】
以上のように構成されたサーモスタットについて、器枠１０２とケース１０３の固定について説明する。
【０００８】
器枠１０２とケース１０３の組立ては、前記器枠１０２の開口部を広げ、前記器枠１０２の角状穴１０２ｂに、前記ケース１０３の凸部１０３ａを嵌め込み、さらに前記ケース凸部１０３ａの三角状切り込みに沿うように前記器枠１０２の一部を変形させてカシメるという方法をとっていた。
【特許文献１】特開平２−１０６１９号公報
【発明の開示】
【発明が解決しようとする課題】
【０００９】
しかしながら、上記従来の構成においては、器枠１０２にケース１０３を挿入する時、前記器枠１０２の開口部を手で拡げねばならず、さらに挿入した後に専用のカシメ冶具、あるいは装置等でカシメる工程が必要であるため、作業性が悪く効率の悪い上に、カシメ時にケース１０３に欠け、割れが発生する可能性があり、また器枠１０２の開口部が外側に拡がったままカシメを行うと器枠１０２とケース１０３の固定が確実に行われないという問題を有していた。
【００１０】
本発明は従来の課題を解決するもので、作業性が良く、簡単に器枠とケースの取付けが行え、カシメ時の割れ、欠けを防止し、かつ確実な器枠とケースの固定を実現する、品質が安定したサーモスタットを提供することを目的とするものである。
【課題を解決するための手段】
【００１１】
上記課題を解決するために本発明のサーモスタットは、上面および対向する二つの側面によって略コの字状に形成された器枠と、この器枠の上面と対向する開口部にスイッチ部を収納したケースを取付ける構成において、前記器枠の二つの側面の開口部側先端に、略矩形状の切欠き部を設け、また、前記各側面に設けた欠切き部の一部に、前記器枠の上面から離れる方向に延出する舌状部を設け、さらに、前記ケースの二つの側面部に、前記器枠に設けた切欠き部と当接する段付部を設け、前記段付部に、前記切欠き部に設けた前記舌状部が貫通する角状穴を設けたものである。
【００１２】
これにより、前記ケースを、前記器枠の開口部より該器枠へ嵌め込む際に、前記器枠の側面に沿って嵌め込むことができ、その嵌め込み終了の位置決めを、前記器枠の側面に設けた切欠き部とケースの段付部の当接によって行い、さらに、ケース段付部の角状穴に器枠の舌状部を貫通させ、該舌状部の先端に曲げを加えることによって、ケースと器枠の固定を行うことができる。また、その際に、ケースの割れ、欠け等を発生させることなく器枠に取付けることが可能となる。
【発明の効果】
【００１３】
本発明のサーモスタットによれば、ケースは、器枠の開口部より器枠側面に設けた切欠き部とケースに設けた段付部が当接するまで挿入することにより、ケースと器枠の位置決めが行え、また、ケースに設けた段付部の角状穴に器枠の舌状部を貫通させ、その舌状部の先端を、角状穴と係止する方向に曲げを加えることにより、ケースと器枠の固定が行えるもので、しかもケースあるいは器枠に無理な応力を作用させることがないため、ケースに割れ、あるいは欠け等を発生させることもなく、作業性良く、また安定した品質が得られる組み立てが行えるものである。
【発明を実施するための最良の形態】
【００１４】
請求項１に記載の発明は、上面および対向する二つの側面からなる略コの字状器枠と、この器枠の上面と対向する開口部より嵌め込まれ、前記器枠の側面間に取付けられるスイッチ部を収納したケースと、前記器枠の上面と対向する開口部以外の二つの開口部のうちどちらかに取付けられる温度感知部を具備したサーモスタットにおいて、前記器枠の二つの側面の開口部側先端に、前記器枠の上面に近づいた部分を形成する略矩形状の切欠き部を設け、また、前記各側面に設けた欠切き部の一部に、前記器枠の上面から離れる方向に延出する舌状部を設け、さらに、前記ケースの二つの側面部に、前記器枠に設けた切欠き部と当接する段付部を設け、前記段付部に、前記切欠き部に設けた前記舌状部が貫通する角状穴を設け、さらに前記角状穴より突出した舌状部の先端に、前記角状穴の周縁と係止する曲げ部を設けたものである。
【００１５】
かかる構成とすることにより、前記ケースは、器枠の開口部より挿入が可能となり、器枠側面に設けた切欠き部とケースの段付部の当接によってケースと器枠の位置決めが行える。しかも、前記器枠の側面間隔とケース幅が同等寸法であるため、器枠およびケースの双方に無理な応力が作用することもなく、ケースの割れ、破損が抑制できる。
【００１６】
さらに、前記ケースと器枠の位置決め後は、角状穴を貫通した舌状部の先端に曲げを加えることにより、舌状部の角状穴からの抜けが防止でき、ケースと器枠の固定を行うことができる。
【００１７】
したがって、作業性良く組立てが行え、品質が安定したサーモスタットを提供することができる。
【００１８】
請求項２に記載の発明は、請求項１に記載の発明において、前記器枠の二つの側面に穴部を設け、さらに、前記ケースの二つの側面に、前記器枠の穴部に嵌合する突起部を設け、該突起部における前記側面と接触する面を、前記段付部側が高くなるように傾斜する斜面部としたものである。
【００１９】
かかる構成とすることにより、前記ケースを前記器枠に挿入する際には、前記突起部の斜面部に沿って器枠が無理なく撓んで広がるため、強い衝撃等を与えずに容易に挿入が可能となり、また前記穴部の端面に前記突起部の底面が当接して嵌り合うことにより、ケースの抜け防止がより確実となるとともに、前記ケースと器枠の位置が確実に決まり、前記ケースと器枠を強固に結合することができ、両者の結合の緩みに起因した誤動作等も抑制でき、一層品質の安定化をはかることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１におけるサーモスタットの分解斜視図である。図２は、同サーモスタットを構成するケースの下面図である。図３は、同サーモスタットの本体正面図である。図４は、同サーモスタットにおける器枠に設けた舌状部の曲げによるケースへの固定状態を示す下面図である。
【００２２】
図１から図４に示すように、例えば金属製の器枠１は、所定間隔を介して位置する二つの側面１ａと、該側面１ａの一端を連結した上面１ｂからなる略コの字状に形成され、三方向の開口部を有している。
【００２３】
前記器枠１の二つの側面１ａの上面１ｂと対向する開口部側先端には、該先端において前記器枠１の上面に近づいた部分を形成する略矩形状の切欠き部２が設けられており、また、該切欠き部２の一部には、前記器枠１の上面１ｂから離れる方向に舌状部３が延出して設けられている。前記舌状部３の先端には、曲げが容易となるように切込み３ｂを設けた曲げ部３ａが設けられている。
【００２４】
また、前記器枠１の上面１ｂには、温度調整用のダイヤル４が設けられている。
【００２５】
合成樹脂製のケース５は、器枠１の側面１ａの間隔と同程度の幅寸法に設定されており、器枠１の上面１ｂと対向する開口部に取付けられる。このケース５は、相対する二つの側面部５ａと、１つの底面部５ｂを具備し、各側面部５ａには、それぞれ器枠１の側面１ａに設けた切欠き部２と当接する如く幅方向に突出した段付部７が設けられている。
【００２６】
また、段付部７には、器枠１の舌状部３が貫通する角状穴９が設けられ、この角状穴９の外側面には、外壁部８が設けられている。この外壁部８は、舌状部３の曲げ部３ａを除く部分を隠し、かつ舌状部３の広がりを付勢するためのもので、所定肉厚で所定幅に形成されている。
【００２７】
さらに、ケース５の中央部には、複数の接点板および接点を有するスイッチ部（図示せず）を具備しており、また一側面には、前記スイッチ部と電気的に接続している端子部６が突出して設けられている。
【００２８】
また、器枠１の一開口部は、温度検出部に延出したキャピラリ１１と、キャピラリ１１の温度変化により圧力変化が生じるベローズ１２を具備した温度感知部１０が取付けられている。
【００２９】
以上のように構成されたサーモスタットについて、以下にケース５を器枠１に固定する方法を説明する。なお、温度感知部１０等の取付け、およびサーモスタットの動作は、本発明の要旨と直接関係しないため、ここでは、器枠１とケース５以外の取付け、およびサーモスタットの動作については説明を省略する。
【００３０】
サーモスタットの組立ては、器枠１に設けられた一対の側面１ａ間にケース５を配置し、器枠１、ケース５それぞれの側面１ａと側面部５ａを接触させる程度で、側面１ａに設けた切欠き部２と側面部５ａに設けた段付部７が当接するまで、ケース５の器枠１への挿入を行う。
【００３１】
換言すると、側面１ａに設けた切欠き部２と側面部５ａに設けた段付部７の当接は、係止関係にあり、それ以上にケース５が器枠１へ挿入されないように規制するものである。
【００３２】
上述の如くケース５の器枠１への挿入に伴い、切欠き部２に設けた舌状部３がケース５の角状穴９を貫通し、切欠き部２と段付部７が当接した状態では、舌状部３の曲げ部３ａが露出している。
【００３３】
かかる状態において、舌状部３の曲げ部３ａを、角状穴９と係止する方向に約９０度曲げ加工を行うことにより、図４に示す状態が形成され、器枠１とケース５の分離が規制される。
【００３４】
したがって、ケース５は、段付部７と切欠き部２の当接、および舌状部３の角状穴９への貫通、さらに舌状部３の曲げ部３ａの曲げ加工により、挿入および抜け方向の動きが規制される。つまり、ケース５は器枠１に対し、いかなる方向においてもがたつきなく、器枠１と強固に固定された状態にあり、また、舌状部３の外側の広がりは、ケース５の外壁部８によって規制されているため、器枠１の本体外側への拡がりもなく、サーモスタットを安定かつ確実に機器へ固定することができる。
【００３５】
また、器枠１とケース５の嵌合においても、前記器枠１の側面１ａ間隔とケース５の幅が同等寸法であるため、器枠１およびケース５の双方に無理な応力が作用することもなく、ケース５の割れ、破損が抑制できる。その結果、組立て時におけるケース５の割れ、あるいは欠損も抑制でき、品質の安定化がはかれ、また安定した機器への固定が可能となり、サーモスタットとしての信頼性を高めることができるものである。
【００３６】
（実施の形態２）
次に、実施の形態２について説明する。本実施の形態２においては、主要な構成が実施の形態１と同じであるため、同一構成要件については同一の符号を付し、実施の形態１と相違する部分を主体に説明する。
【００３７】
図５は、本発明の実施の形態２におけるサーモスタットの分解斜視図である。図６は、同サーモスタットのケース側面に設けた突起部の拡大斜視図である。
【００３８】
図５、図６において、実施の形態１と相違する点は、器枠１の相対する各側面１ａに矩形の穴部１３を設け、さらにケース５の各側面５ａに、器枠１とケース５の正規の取付け状態において、器枠１の穴部１３に嵌合する突起部１５を設けた点である。
【００３９】
そして、突起部１５は、器枠１の側面１ａと接触する面を、ケース５の器枠１への嵌め込み方向に向けて平面（ケース５の側面部５ａと面一）となるように斜面部１４としている。そして、突起部１５の最突出寸法は、器枠１に設けた側面１ａの撓み度合いを鑑みると、側面１ａの板厚寸法程度が好ましい。
【００４０】
また、穴部１３と突起部１５の位置は、器枠１とケース５の嵌め込み完了状態、即ち、側面１ａに設けた切欠き部２と側面部５ａに設けた段付部７の当接状態において、穴部１３と突起部１５が合致する位置に設定されている。
【００４１】
かかる構成とすることにより、器枠１とケース５の嵌め込みを行う場合は、実施の形態１と同様に器枠１に設けられた一対の側面１ａ間にケース５を配置し、器枠１、ケース５それぞれの側面１ａと側面部５ａを接触させる程度の力で、ケース５の器枠１への挿入を行う。
【００４２】
その過程において、側面１ａに設けた切欠き部２と側面部５ａに設けた段付部７が当接する前に、突起部１５と側面１ａの接触が始まるが、若干の力を加えることにより、器枠１の側面１ａが若干撓み、ケース５の器枠１への挿入を継続することができる。
【００４３】
そして、側面１ａに設けた切欠き部２と側面部５ａに設けた段付部７が当接すると同時に突起部１５が穴部１３へ嵌り込み、ケース５のそれ以上の挿入が規制され、また、突起部１５と穴部１３の嵌合により、ケース５の抜けも規制される。
【００４４】
かかる状態において、実施の形態１と同様に舌状部３の曲げ部３ａを曲げ加工することにより、ケース５と器枠１の固定が完了する。
【００４５】
本実施の形態２によれば、先の実施の形態１と同様の作用効果が期待でき、加えて、穴部１３と突起部１５の嵌合により、ケース５の抜け防止がより確実となり、サーモスタットの品質、信頼性をより高めることができる。
【産業上の利用可能性】
【００４６】
本発明にかかるサーモスタットは、その組立ての工程においてケースの損傷が抑制でき、組立て作業性がよく、品質が安定したものとすることができるため、冷蔵庫、ショーケース等庫内温度を制御するサーモスタットを必要とする機器等に適用できる。
【図面の簡単な説明】
【００４７】
【図１】本発明の実施の形態１におけるサーモスタットの分解斜視図
【図２】同サーモスタットを構成するケースの下面図
【図３】同サーモスタットの本体正面図
【図４】同サーモスタットにおける器枠に設けた舌状部の曲げによるケースへの固定状態を示す下面図
【図５】本発明の実施の形態２におけるサーモスタットの分解斜視図
【図６】同サーモスタットのケース側面に設けた突起部の拡大斜視図
【図７】従来のサーモスタット本体の側面図
【符号の説明】
【００４８】
１    器枠
１ａ  側面
１ｂ  上面
２    切欠き部
３    舌状部
３ａ  曲げ部
５    ケース
５ａ  側面部
５ｂ  底面部
７    段付部
８    外壁部
９    角状穴
１０  温度感知部
１３  穴部
１４  斜面部
１５  突起部
【図１】
2009230866.tif 000003
【図２】
2009230866.tif 000004
【図３】
2009230866.tif 000005
【図４】
2009230866.tif 000006
【図５】
2009230866.tif 000007
【図６】
2009230866.tif 000008
【図７】
2009230866.tif 000009